(57)【特許請求の範囲】
【請求項１】
支軸を介して回転可能に支持されるとともに、ＩＣカードを、該ＩＣカードの前面に設けられた送受信部を内周側に向けて立てられた状態で収納するカード収納部が該支軸を中心に半径方向に亘って放射状に複数設けられた収納ユニットと、
上記収納ユニットに収納された複数枚のＩＣカードのうちの選択された１枚のＩＣカードに対して無線で情報信号の記録及び／又は再生を行う記録及び／又は再生部と、
上記選択された１枚のＩＣカードの送受信部と上記記録及び／又は再生部とが対向するように上記収納ユニットを回転駆動する回転駆動部とを備え、
上記収納ユニットは、上記支軸を介して回転可能に支持されるロータリーテーブルを有し、
上記カード収納部は、上記ロータリーテーブルに、該ロータリーテーブルの支軸を中心に半径方向に亘って放射状に複数形成され、上記ＩＣカードが挿入されて収納されるカード挿入溝であり、
上記カード挿入溝は、上記ロータリーテーブルの支軸側に位置する内周側端部及び該ロータリーテーブルの外周縁部側に位置する外周側端部において、上記ＩＣカードの厚みと略同じ幅を有し、該内周側端部と該外周側端部との間の中途部において、該内周側端部及び該外周側端部より広い幅を有するＩＣカードの記録及び／又は再生装置。
【請求項２】
上記収納ユニットは、更に、上記ロータリーテーブルの下面側に同軸に一体的に設けられ、上記カード挿入溝に対応して形成されたカード支持溝が上記カード挿入溝に挿入されたＩＣカードを支持するカード支持体を有する請求項１記載のＩＣカードの記録及び／又は再生装置。
【発明の詳細な説明】
【０００１】
【発明の属する技術分野】
本発明は、ＩＣカードを、複数枚収納することができるＩＣカードの記録及び／又は再生装置に関する。
【０００２】
【従来の技術】
従来、フラッシュメモリ等の半導体メモリを記憶素子に用いるＩＣカードは、ディスク状記録媒体やテープカセット等に比べて小型で且つ高速に情報信号の記録再生を行うことができることから、コンピュータ、ビデオカメラ等の電子機器の外部記憶装置として用いられている。このようなＩＣカードの記録再生装置は、ＩＣカード１枚を保持するホルダと、このホルダに設けられ、ＩＣカードに接続されるコネクタとを備え、ＩＣカードがホルダに保持され、コネクタに接続された状態で情報信号の記録再生が行われる。
【０００３】
【発明が解決しようとする課題】
しかしながら、ＩＣカードを複数枚所有しているとき、利用者は、ＩＣカードを収納ケース等に収納して管理する必要があり、その管理が面倒なものになっていた。また、従来は、ＩＣカードの交換を１枚ずつ行う必要がありＩＣカードの着脱が面倒であった。
【０００４】
そこで、本発明は、複数のＩＣカードを収納することで利便性の向上を図ることができるＩＣカードの記録及び／又は再生装置を提供することを目的とする。
【０００６】
【課題を解決するための手段】
本発明に係るＩＣカードの記録及び／又は再生装置は、上述した課題を解決すべく、支軸を介して回転可能に支持されるとともに、ＩＣカードを、該ＩＣカードの前面に設けられた送受信部を内周側に向けて立てられた状態で収納するカード収納部が該支軸を中心に半径方向に亘って放射状に複数設けられた収納ユニットと、上記収納ユニットに収納された複数枚のＩＣカードのうちの選択された１枚のＩＣカードに対して無線で情報信号の記録及び／又は再生を行う記録及び／又は再生部と、上記選択された１枚のＩＣカードの送受信部と上記記録及び／又は再生部とが対向するように上記収納ユニットを回転駆動する回転駆動部とを備え、上記収納ユニットは、上記支軸を介して回転可能に支持されるロータリーテーブルを有し、上記カード収納部は、上記ロータリーテーブルに、該ロータリーテーブルの支軸を中心に半径方向に亘って放射状に複数形成され、上記ＩＣカードが挿入されて収納されるカード挿入溝であり、上記カード挿入溝は、上記ロータリーテーブルの支軸側に位置する内周側端部及び該ロータリーテーブルの外周縁部側に位置する外周側端部において、上記ＩＣカードの厚みと略同じ幅を有し、該内周側端部と該外周側端部との間の中途部において、該内周側端部及び該外周側端部より広い幅を有する。
【０００７】
【発明の実施の形態】
以下、本発明に係るＩＣカードの記録及び／又は再生装置が適用されたＩＣカードの記録再生装置について、図面を参照して説明する。
【０００８】
先ず、本発明が適用された記録再生装置の参考例となる記録再生装置２０について図面を参照して説明する。この記録再生装置２０は、図１及び図２に示すようなＩＣカード１を記録媒体に用いるものである。このＩＣカード１は、合成樹脂をモールド成型したメモリ本体を構成する略板状の筐体２を備え、この筐体２の内部に、４メガバイト（以下、単にＭＢともいう。）以上、例えば４ＭＢ、１６ＭＢ、３２ＭＢ、６４ＭＢ、１２８ＭＢといった大きな記憶容量を有するフラッシュメモリ等の半導体メモリ素子が設けられている。この半導体メモリ素子には、動画データ、静止画データ、音声データ、制御データ、コンピュータで処理される処理データ等のデータが記憶される。ＩＣカード１は、例えば、図１に示すように、短辺の長さＷ1を略２１．４５ｍｍとなし、長辺の長さＬ1を略５０ｍｍとなし、厚さＤ1を略２．８ｍｍとなす略矩形状に形成されている。
【０００９】
ＩＣカード１を構成する筐体２の一方の短辺側である前面２ａ側には、図１及び図２に示すように、前面２ａから底面２ｂに亘るように、端子部３が形成されている。この端子部３には、互いに仕切壁３ａに分離された複数の接続端子３ｂが設けられている。筐体２内に設けられたメモリ素子に対する情報の読み出し又は書き込み動作は、端子部３に設けられた接続端子３ｂを介して行われる。また、端子部３は、仕切壁３ａにより係合凹部３ｃが区画され、接続端子３ｂは、係合凹部３ｃの底面に配設されることで、手指等が直接触れないように保護されている。なお、接続端子３ｂは、係合凹部３ｃに区画されて１０本設けられている。
【００１０】
また、筐体２の端子部３が形成された前面２ａ側の一方のコーナ部には、図１及び図２に示すように、略円弧状に切り欠かれた記録再生装置２０への挿入方向を示す切欠部４が設けられている。筐体２の切欠部４が形成された側の一方の側面２ｃには、図２に示すように、筐体２の底面２ｂ側を開放した誤挿入防止溝５が切欠部４に連続して形成されている。この切欠部４及び誤挿入防止溝５は、ＩＣカード１を記録再生装置２０に装着するとき、記録再生装置２０に対する挿入方向を規制して誤挿入を防止する。
【００１１】
筐体２の底面２ｂ側には、端子部３の近傍に位置して、誤って情報信号を半導体メモリに記録することを防止する誤記録防止スイッチ６が設けられている。誤記録防止スイッチ６は、筐体２内に配設されたプリント配線基板に実装されたスライド型のスイッチ素子の操作子に連結され、一方にスライドされたとき、情報信号の記録を可能となし、他方にスライドされたとき、新たな情報信号が上書きされないようにしている。また、筐体２の一方の側面２ｃには、記録再生装置２０に挿入されたとき、記録再生装置２０側の位置決め突起３４が係合される位置決め凹部７が形成されている。また、筐体２の他方の側面２ｄ側の略中央部には、誤挿入防止や装着位置の位置決めを図るための係合凹部８が形成されている。この係合凹部８は、記録再生装置２０側に設けられる係合部３５が係合することによって、ＩＣカード１の誤挿入を防止したり、装着位置の位置決めを図る。また、筐体２の他方の側面２ｄの端子部３側には、挿入ガイド溝１３が設けられている。この挿入ガイド溝１３は、記録再生装置２０に挿入されるときに、コネクタ５１に設けられたガイド片５４が係合されることにより、ＩＣカード１の挿入をガイドするとともに、誤挿入を防止している。
【００１２】
ＩＣカード１の筐体２には、図１及び図２に示すように、平面２ｅ側から背面２ｆに亘り、さらに底面２ｂ側に亘ってラベル貼着部９が設けられている。ラベル貼着部９は、筐体２の平面２ｅ側から背面２ｆに亘り、さらに底面２ｂに亘る部分に凹状部を形成して構成されている。ラベル貼着部９は、ラベル１０を貼着したとき、ラベル１０が筐体２の外周面から突出しない若しくは面一となる深さに形成されている。また、ラベル貼着部９の平面２ｅ側部分は、図１に示すように、筐体２の背面２ｆ側から前面２ａ側の近傍まで設けられている。ラベル貼着部９に貼着されるラベル１０には、このＩＣカード１を用いることができる機種名やＩＣカード１に記録される記録内容等を示す表示が施される。
【００１３】
以上のようなＩＣカード１を複数枚積層するように収納する記録再生装置２０は、ＩＣカード１を複数枚収納可能な装置である。この記録再生装置２０は、図３に示すように、装置本体２１を有し、この装置本体２１には、ＩＣカード１を保持する保持部材２２と、複数枚の保持部材２２を積層して収納する収納体２３と、収納体２３に収納された複数のＩＣカード１の中で選択された一のＩＣカード１の記録再生を行う記録再生部２４とが設けられている。この記録再生装置２０では、利用者によって番地選択がなされると、この選択された番地の保持部材２２が記録再生部２４と同じ高さとなるように収納体２３が昇降し、次いで、ＩＣカード１を保持した保持部材２２が記録再生部２４に接続される記録再生位置まで移動される。これにより、利用者によって選択されたＩＣカード１が記録再生部２４に結合し、このＩＣカード１に対して情報信号の記録再生が行われる。
【００１４】
また、装置本体２１には、その前面部に、ＩＣカード１の挿脱口２５が形成されている。挿脱口２５からは、利用者によって選択された番地のＩＣカードを保持した保持部材２２が装置本体２１より排出され、このＩＣカード１の交換位置において、ＩＣカード１の交換等が行われる。
【００１５】
収納体２３に積層して収納されるＩＣカード１の保持部材２２は、図４に示すように、全体が略矩形の板状に形成され、一方の主面にＩＣカード１を保持するカード保持部３１が形成されている。このカード保持部３１は、ＩＣカード１を収納できる大きさを有した凹部により構成されている。このカード保持部３１のＩＣカード１の挿入側の一端部には、ＩＣカード１の挿入ガイド部となる傾斜面部３２が形成され、カード保持部３１の他端側には、ＩＣカード１の端子部３を外部に臨ませる開口部３３が形成されている。更に、カード保持部３１の底面３１ａには、ＩＣカード１の筐体２に設けられた位置決め凹部７に係合される位置決め突起３４が形成され、また、係合凹部８に係合される係合部３５が突出して形成されている。このようなカード保持部３１には、ＩＣカード１を、端子部３を挿入端として、傾斜面部３２側からラベル１０が見えるように平面２ｅを上側にして挿入される。そして、カード保持部３１は、位置決め突起３４が位置決め凹部７に係合し、係合部３５が係合凹部８に係合することによって、確実に位置決めされた状態で保持される。そして、カード保持部３１に保持されたＩＣカード１は、端子部３が開口部３３より突出し、外部に臨まれた状態となり、記録再生部２４に接続できるようになっている。なお、ＩＣカード１を正規でない状態、例えば底面２ｂを上側にした裏返しの状態でカード保持部３１に利用者が装着しようとしたときには、位置決め突起３４と係合部３５によりカード保持部３１に装着できなくなり、利用者にＩＣカード１を誤装着しようとしていることを認識させることができる。
【００１６】
更に、保持部材２２には、この保持部材２２の移動方向と平行な両側縁部に、保持部材２２を収納体２３の内外に亘って移動する際のガイドを行うガイドレール３６，３７が形成されている。ガイドレール３６，３７には、収納体２３側のガイド部が係合されるガイド凹部３８，３９が形成されている。更に、一方のガイドレール３７には、保持部材２２をＩＣカード１の交換等のため装置本体２１外に移動するためのイジェクト機構が噛合されるラックギヤ４０が形成されている。更に、記録再生部２４側のとなる端部には、保持部材２２を記録再生部２４との間で移動操作するためのローディング機構が接続される係合凹部４１が形成されている。
【００１７】
以上のように構成された保持部材２２を互いに平行に積層して収納する収納体２３は、図４に示すように、５枚の保持部材２２が収納される。この収納体２３は、保持部材２２が複数枚互いに平行に積層して収納される収納部４３を有し、この収納部４３は、挿脱口２５側の前面部と記録再生部２４側の背面部とが開放されることによって、保持部材２２をＩＣカード１の交換を行う装置本体２１外の交換位置と記録再生部２４内の記録再生位置とに亘って移動することができるようになっている。
【００１８】
この収納部４３を構成する保持部材２２の移動方向と平行な側壁部４４，４５には、保持部材２２の厚さと略同じ間隔を隔てて保持部材２２を移動可能に支持するガイド支持部４６，４７が形成されている。このガイド支持部４６，４７には、保持部材２２のガイドレール３６，３７に設けられたガイド凹部３８，３９に係合されるガイド部４８，４９が形成されている。このような収納体２３には、保持部材２２がガイド凹部３８，３９にガイド部４８，４９を係合させた状態で、ガイド支持部４６，４７にガイドレール３６，３７が支持されて収納される。また、両側壁部４４，４５には、収納体２３を昇降操作する昇降機構に支持させるための第１の支持ピン５６と第２の支持ピン５７とが設けられる。収納体２３は、第１の支持ピン５６と第２の支持ピン５７とが昇降機構に接続されることによって上下方向に昇降操作される。
【００１９】
次に、保持部材２２に保持されたＩＣカード１に対して情報信号を書き込み若しくは情報信号を読み出す記録再生部２４について説明する。
【００２０】
この記録再生部２４は、図５に示すように、ＩＣカード１の端子部３と接続されるコネクタ５１であり、所定の高さに固定されている。このコネクタ５１は、略矩形状に形成され、前面に、内部にＩＣカード１の端子部３を挿入するための挿入口５２が設けられている。また、コネクタ５１の内部の底面には、端子部３を構成する接続端子３ｂに電気的に接続される弾性接点５３が設けられている。弾性接点５３は、ＩＣカード１の端子部３を構成する接続端子３ｂの数に対応して設けられている。これら弾性接点５３は、略Ｌ字状に折曲して形成され、この折曲部が上方に突出し、ＩＣカード１の接続端子３ｂに押圧されて弾性変位するように設けられている。弾性接点５３は、ＩＣカード１が挿入口５２より内部に挿入されたとき、ＩＣカード１の端子部３を構成する係合凹部３ｃの開放側より進入し、折曲部が接続端子３ｂに圧接されることで、接続端子３ｂと電気的に接続される。
【００２１】
また、コネクタ５１の一方の側面には、ＩＣカード１の挿入ガイド溝１３に係合されるガイド片５４が設けられ、他方の側面には、誤挿入防止溝５に係合される係合突部５５が形成されている。保持部材２２に保持されたＩＣカード１は、ローディング機構により記録再生位置にまで移動されたとき、保持部材２２の開口部３３より外部に臨まされたＩＣカード１の先端部がコネクタ５１内に挿入され、端子部３に弾性接点５３が係合され、情報信号の記録再生が可能な状態になる。コネクタ５１に保持部材２２に保持されたＩＣカード１が挿入されるとき、ＩＣカード１は、ガイド片５４が挿入ガイド溝１３に係合されることで、挿入がガイドされ、更に移動が終了した後においても、ガイド片５４は、挿入ガイド溝１３に係合し、且つ係合突部５５が誤挿入防止溝５に係合されることから、確実にコネクタ５１内で位置決めがされ、確実な情報信号の記録再生を行うことができる。
【００２２】
次に、収納体２３を支持するとともに昇降操作する昇降機構６１について図６を参照して説明する。装置本体２１を構成するシャーシ６０の保持部材２２の移動方向と平行な両側面部６０ａ，６０ａの間に位置して昇降操作される収納体２３は、側壁部４４，４５の下端側に設けられた第１の支持ピン５６と第２の支持ピン５７とを、側面部６０ａ，６０ａの保持部材２２の積層方向と略直交する高さ方向に亘って設けられた昇降ガイド孔６２ａ，６２ｂに挿通させ、これら昇降ガイド孔６２ａ，６２ｂにガイドされて高さ方向に昇降操作される。そして、昇降機構６１は、側面部６０ａ，６０ａの外側面に、収納体２３に収納された保持部材２２の移動方向に移動可能に取り付けられると共に収納体２３を支持する一対の移動板６３と、移動板６３と同方向に移動可能に取り付けられると共に収納体２３を昇降する一対の操作板６４とを備える。
【００２３】
移動板６３は、中央部の上方側及び下方側の両側に位置して移動ガイド孔６５ａ，６５ｂ，６５ｃが設けられている。移動ガイド孔６５ａ，６５ｂ，６５ｃには、シャーシ６０の側面部６０ａ，６０ａの外側面に設けられた支持ピン６６ａ，６６ｂ，６６ｃが挿通され、各移動板６３は、移動ガイド孔６５ａ，６５ｂ，６５ｃの範囲内で移動される。また、移動板６３には、移動方向に並列して、略方形の開口部６７ａ，６７ｂが設けられ、これら開口部６７ａ，６７ｂの装置本体２１の前面部側縁から第１の支持ピン５６と第２の支持ピン５７を支持する複数の支持突片６８ａ，６８ｂが多段状に設けられる。移動板６３は、装置本体２１の背面側に移動され、第１の支持ピン５６と第２の支持ピン５７が支持突片６８ａ，６８ｂに支持された支持位置と、装置本体２１の前面側に移動され、第１の支持ピン５６と第２の支持ピン５７が支持突片６８ａ，６８ｂに支持されない非支持位置とに亘って移動される。また、移動板６３には、開口部６７ｂの近傍に、詳細は後述するカムギヤ９６に設けられたカム溝９７に係合される係合ピン６９が植立されている。すなわち、操作板６４は、このカムギヤ９７が回転されることにより、収納体２３に収納された保持部材２２の移動方向に沿って移動される。
【００２４】
また、移動板６３の外側面側には、第１の回動アーム７１と第２の回動アーム７２とが略中央で交差して取り付けられている。第１の回動アーム７１は、一端に略円弧状の開口部６７ａに挿通された収納体２３の第１の支持ピン５６が係合されるガイド孔７３が形成されている。第１の回動アーム７１の他端は、シャーシ６０の側面部６０ａの下方側に設けられたガイド孔７５に係合されるガイド軸７４が形成されている。また、第２の回動アーム７２は、一端に略円弧状の開口部６７ｂを挿通された収納体２３の第２の支持ピン５７が係合されるガイド孔７６が形成されている。第２の回動アーム７２の他端は、シャーシ６０の側面部６０ａの下方側に植立された支軸７８が挿通される軸孔７７が形成されている。第１の回動アーム７１と第２の回動アーム７２とは、それぞれの略中央部で、支軸７９により回動自在に支持されている。すなわち、第１の回動アーム７１と第２の回動アーム７２とは、第２の支持ピン５７が操作板６４により昇降されることにより、収納体２３を上下方向に昇降操作する。
【００２５】
操作板６４は、略中央領域に略方形状の開口部８１が形成され、開口部８１の下方側の側縁には、ラックギヤ８２が設けられている。ラックギヤ８２には、詳細は後述する操作ギヤ９８が噛合され、操作板６４を保持部材２２の移動方向と同方向に移動操作させる。操作板６４には、上方側１カ所と下方側２カ所に、操作板６４の移動をガイドする移動ガイド孔８３ａ，８３ｂ，８３ｃが形成されている。これら移動ガイド孔８３ａ，８３ｂ，８３ｃにシャーシ６０の両側面部６０ａに設けられたガイドピン８４ａ，８４ｂ，８４ｃが係合される。これによって、操作板６４は、移動ガイド孔８３ａ，８３ｂ，８３ｃの設けられた範囲内で移動される。
【００２６】
また、操作板６４には、内側面側に、収納体２３を昇降操作するためのカム溝８５が設けられている。このカム溝８５は、水平部８５ａと傾斜部８５ｂとからなり、階段状に形成されている。カム溝８５は、装置本体２１の前面部から背面部側に向かって上側に傾斜するように設けられている。このようなカム溝８５には、第２の支持ピン５７が係合される。したがって、カム溝８５は、操作板６４が装置本体２１の背面側から前面側に移動されるに伴い収納体２３を上方に持ち上げる。
【００２７】
そして、昇降機構６１を構成する移動板６３及び操作板６４は、駆動モータ８６を駆動源とする駆動伝達機構８７により駆動力が伝達される。駆動モータ８６の駆動力は、駆動モータ８６の駆動軸に取り付けられた駆動プーリ８８及び駆動プーリ８８に巻回された無端ベルトである駆動伝達ベルト８９を介して、駆動伝達ベルト８９が巻回された従動プーリ９１に伝達される。この従動プーリ９１は、シャーシ６０の側面部６０ａに植立された支軸９２に軸支されている。この従動プーリ９１には、小径のギヤ部９１ａが一体に設けられ、このギヤ部９１ａは、シャーシ６０の両側面部６０ａ，６０ａに亘って配設されたシャフト９３に軸支された伝達ギヤ９４に噛合されている。この伝達ギヤ９４には、小径ギヤ部９４ａが一体に設けられ、この小径ギヤ部９４ａは、シャーシ６０の両側面部６０ａ，６０ａに亘って配設されたシャフト９５に取り付けられたカムギヤ９６に噛合されている。すなわち、カムギヤ９６は、両側面部６０ａ，６０ａに配設されている。シャフト９５の両端に取り付けられたカムギヤ９６は、駆動モータ８６が駆動することにより、同一方向に回転駆動される。
【００２８】
カムギヤ９６には、移動板６３の係合ピン６９が係合されるカム溝９７が設けられている。カム溝９７は、略楕円状に形成され、短片方向の円弧部９７ａと、長手方向の直線部９７ｂとから構成されている。カムギヤ９６は、係合ピン６９が円弧部９７ａに係合し、カム溝９７が横向きのときに移動板６３を、第１及び第２の支持ピン５６，５７を支持しない非支持位置に移動させ、係合ピン６９が直線部９７ｂに係合し、カム溝９７が縦向きのときに移動板６３を、第１及び第２の支持ピン５６，５７を支持する支持位置に移動させる。そして、移動板６３は、カムギヤ９６が１回転する間に２往復する。
【００２９】
このようなカムギヤ９６には、シャーシ６０の側面部６０ａ，６０ａに植立された支軸１００に取り付けられた操作ギヤ９８が噛合されている。操作ギヤ９８は、小径のギヤ部９９が設けられ、このギヤ部９９は、操作板６４の開口部８１のラックギヤ８２に噛合されている。操作ギヤ９８は、駆動モータ８６の駆動力が伝達され、回転されることにより、操作板６４を保持部材２２の移動方向と同方向に移動操作し、収納体２３を昇降する。
【００３０】
以上のように構成された昇降機構６１の動作について、例えば収納体２３が最下段に位置しているときに一段上の段に持ち上げる場合を例に取り説明する。図７（Ａ）に示すように、収納体２３が最下段の最も安定した位置にあるとき、移動板６３は、カムギヤ９６のカム溝９７が縦向きの状態にあり、直線部９７ｂに係合ピン６９が係合していることから、装置本体２１の背面側の図７中（Ａ）矢印Ａ1方向に移動した支持位置にあり、第１及び第２に支持ピン５６，５７を支持している。また、操作板６４も、図７（Ａ）中矢印Ａ1方向に移動されており、第２の支持ピン５７が操作板６４のカム溝８５の最下段の水平部８５ａに係合した状態にある。
【００３１】
そして、図７（Ｂ）に示すように、駆動モータ８６が正転駆動されると、カムギヤ９６は、回転され、カム溝９７が横向きの状態になり、係合ピン６９が円弧部９７ａに係合していることから、移動板６３は、図７（Ｂ）中矢印Ａ２方向に移動し、非支持位置に移動する。これにより、第１の支持ピン５６と第２の支持ピン５７は、支持突片６８ａ，６８ｂに支持されない状態となり、図７（Ｂ）中矢印Ｂ１及びＢ２方向に昇降可能な状態となる。これと共に、操作ギヤ９８は、一方に回転され操作板６４を図７（Ｂ）中矢印Ａ２方向に移動させ、第２の支持ピン５７を、カム溝８５に従って傾斜部８５ｂに移動させる。これにより、収納体２３は、第１及び第２の支持ピン５６，５７に係合された第１及び第２の回動アーム７１，７２により持ち上げられる。すなわち、収納体２３の昇降操作をする際には、移動板６３が非支持位置に移動され、操作板６４が第２の支持ピン５７を傾斜部８５ｂに係合するように移動される。
【００３２】
さらに、駆動モータ８６が一方に駆動され続けると、図７（Ｃ）に示すように、カムギヤ９６は、回転され、カム溝６６が再び縦向きの状態になり、移動板６３を図７（Ｃ）中矢印Ａ1方向に移動させ支持位置に戻す。このとき、操作板６４も、さらに図７（Ｃ）中矢印Ａ2方向に移動され、第２の支持ピン５７は、カム溝８５の下から２番目の水平部８５ａに移動される。これにより、収納体２３は、所定量持ち上げられ、下から２番目の支持突片６８ａ，６８ｂに第１の支持ピン５６と第２の支持ピン５７が支持された状態にされる。すなわち、昇降機構６１は、移動板６３が第１の支持ピン５６と第２の支持ピン５７を支持しない非支持位置にあるとき、操作板６４により収納体２３を持ち上げ、この状態で、移動板６３を支持位置に戻すことで、収納体２３を所定の高さで支持する。
【００３３】
次に、収納体２３に収納された複数の保持部材２２の中から一を選択し、記録再生部２４にローディングするローディング機構１０１について図８を参照して説明する。このローディング機構１０１は、シャーシ６０の側面部６０ａに保持部材２２の移動方向と平行に移動可能に取り付けられるガイド軸１０２に支持された移動ブロック１０３を有する。この移動ブロック１０３を支持するガイド軸１０２は、断面方形状の角柱状に形成され、一端を図示しないが側面部６０ａの略中央部に突設された支持枠に支持されて側面部６０ａの外側面側に取り付けられている。移動ブロック１０３は、ガイド軸１０２が挿通されるガイド孔１０４が設けられ、このガイド孔１０４にガイド軸１０２に挿通させることによって、このガイド軸１０２にガイドされ、収納体２３に収納された保持部材２２の移動方向と同方向に移動可能に支持される。移動ブロック１０３には、側面部６０ａに向かって保持部材２２のガイドレール３７に設けられた係合凹部４１に係合される係合突部１０５が突設されている。この係合突部１０５は、ガイド軸１０２に沿って側面部６０ａに穿設された切欠部１０６を介してシャーシ６０の内方に突出され、保持部材２２の係合凹部４１に係合される。そして、移動ブロック１０３は、図８中左方のガイド軸１０２の前端側に位置するとき、係合突部１０５を収納体２３内に進入させ、収納体２３に積層して収納された保持部材２２の中の何れか一の保持部材２２に設けられた係合凹部４１に係合させる。なお、収納体２３に収納される保持部材２２は、収納体２３に各保持部材２２に設けられた係合凹部４１が上下に連通した状態で収納されている。したがって、収納体２３は、係合突部１０５が係合凹部４１に係合した状態であっても、昇降機構６１により昇降可能な状態にある。
【００３４】
移動ブロック１０３は、側面部６０ａに一体に設けられた図示しない取付け基台に取り付けられたローディング用モータ１０７により、保持部材２２の移動方向と平行な図８中矢印Ｃ1又はＣ2方向に移動操作される。ローディング用モータ１０７の駆動力は、ローディング用モータ１０７の駆動軸に取り付けられた駆動プーリ１０８及び駆動プーリ１０８に巻回された無端ベルト１０９を介して、従動プーリ１１１に伝達される。この従動プーリ１１１は、側面部６０ａに植立された支軸１１２に軸支されている。この従動プーリ１１１には、ギヤ部１１１ａが一体的に形成され、このギヤ部１１１ａは、側面部６０ａに植立された支軸１１３に軸支された駆動力伝達ギヤ１１４に噛合されている。この駆動力伝達ギヤ１１４には、小径のギヤ部１１４ａが一体的に設けられ、小径ギヤ部１１４ａは、タイミングベルト１１６が巻回される側面部６０ａに植立された支軸１１５に軸支された第１のタイミングギヤ１１７が噛合されている。この第１のタイミングギヤ１１７は、切欠部１０６の前端近傍に取り付けられる。また、切欠部１０６の後端近傍には、タイミングベルト１１６が巻回される第２のタイミングギヤ１１８が側面部６０ａに植立された支軸１１９に軸支されている。第１のタイミングギヤ１１７と第２のタイミングギヤ１１８に掛け渡されたタイミングベルト１１６の中途部は、移動ブロック１０３の一側面に穿設された係合溝１２１に係合されて、移動ブロック１０３に連結されている。したがって、移動ブロック１０３は、ローディング用モータ１０７が駆動し、タイミングベルト１１６が回転されることにより、このタイミングベルト１１６と一体に図８中矢印Ｃ1又はＣ2方向に移動される。
【００３５】
移動ブロック１０３は、係合突部１０５を収納体２３に収納された一の保持部材２２の係合凹部４１に係合させている状態において、ガイド軸１０２に沿って装置本体２１の図８中矢印Ｃ2方向に移動されると、一の保持部材２２は、収納体２３より引き出され、図８中矢印Ｃ2方向に移動される。収納体２３に収納された複数の保持部材２２の中から所望の一つをローディング機構１０１により引き出し操作する選択操作は、移動ブロック１０３が収納体２３側に位置する図８中矢印Ｃ1方向に移動された状態で行われる。
【００３６】
次に、収納体２３に収納された保持部材２２を挿脱口２５より装置本体２１の外方に引き出すイジェクト機構１３１について図９を参照して説明する。イジェクト機構１３１は、図９に示すように、取付け基板１３２に取り付けられたイジェクト操作用の駆動モータ１３３を備える。このイジェクト操作用の駆動モータ１３３は、図９に示すように、駆動軸１３４を上方側に向けて、取付け基板１３２の前端部分を折曲して形成した水平板部１３５に取り付けられている。イジェクト操作用の駆動モータ１３３の駆動軸１３４には、駆動ギヤ１３６が取り付けられている。この駆動ギヤ１３６は、水平板部１３５に植立された支軸１３７に軸支された内周面にギヤ部が形成された円筒ギヤ１３８に噛合されている。この円筒ギヤ１３８には、伝達ギヤ１３９が一体的に形成される。この伝達ギヤ１３９は、シャーシ６０の側面部６０ａに植立された支軸１４１に軸支された移動操作ギヤ１４２に噛合されている。この移動操作ギヤ１４２を支持する支軸１４１は、側面部６０ａの前端部を折曲して形成された水平板部１４３上に植立されている。そして、移動操作ギヤ１４２は、図９に示すように、収納体２３に収納された保持部材２２の内、装置本体２１の外方に引き出すように選択された保持部材２２のラックギヤ４０の前方側部分に噛合される。この移動操作ギヤ１４２が収納体２３に収納された保持部材２２中の何れかからのラックギヤ４０に噛合するかは、収納体２３の高さに応じて決まる。移動操作ギヤ１４２は、収納体２３の側壁部４５に設けられた前側切欠部を介して収納体２３内に臨まされる。
【００３７】
収納体２３が上述した昇降機構６１を介して昇降されるとき、収納体２３に収納された保持部材２２は、ラックギヤ４０を移動操作ギヤ１４２に対して摺接させつつ移動し、利用者によって選択された番地の保持部材２２のラックギヤ４０に噛合される。ここで、移動操作ギヤ１４２は、図１０に示すように、ギヤ部１４４の両端部、すなわち、保持部材２２の各ラックギヤ４０に直交する方向の両端部が、先端側の幅が狭くなるように傾斜部１４５，１４５が形成されている。したがって、この移動操作ギヤ１４２に対し、収納体２３に収納された保持部材２２が図１０中矢印Ｆ方向に移動されるとき、各ラックギヤ４０のギヤ部１４６は、移動操作ギヤ１４２のギヤ部１４４間に円滑に進入することができ、円滑に収納体２３を昇降するようになされている。イジェクト機構１３１により選択された保持部材２２は、イジェクト操作用の駆動モータ１３３の駆動により、ラックギヤ４０を介して収納体２３から引き出し操作され、図９中矢印Ｇ1方向に移動操作されることにより挿脱口２５より装置本体２１の外方に突出される。また、保持部材２２は、駆動モータ１３３の駆動により、図９中矢印Ｇ2方向に移動操作され、収納体２３内に移動操作される。
【００３８】
ところで、記録再生装置２０は、データの記録再生のシステムとしてＦＡＴ（file allocation table）システムが用いられている。このシステムにおいて、データの書き込み速度は、１５００ＫＢ／ｓｅｃ〜３３０ＫＢ／ｓｅｃであり、読み出し速度は、２．４５ＭＢ／ｓｅｃであり、書き込み単位は、５１２バイトであり、消去ブロックサイズは、８ＫＢ又は１６ＫＢとされる。また、電源電圧ＶCCは、２．７〜３．６Ｖ、シリアルクロックＳＣＬＫは、最高２０ＭＨｚとされる。
【００３９】
ここで、ＩＣカード１の回路構成について説明すると、ＩＣカード１は、図１１に示すように、データが記録されるフラッシュメモリ１１と、このフラッシュメモリ１１に対するデータの書き込み又は読み出しを制御する制御部１２とを備える。また、端子部３を構成する各接続端子３ｂについて説明すると、接続端子３ｂ1と接続端子３ｂ10は、検出電圧ＶSS端子として用いられ、接続端子３ｂ2は、シリアルプロトコルバスステート信号ＢＳの入力端子として用いられ、接続端子３ｂ3と接続端子３ｂ9は、電源電圧ＶCC端子として用いられ、接続端子３ｂ4は、データ端子、すなわちシリアルプロトコルデータ信号の入出力端子として用いられ、接続端子３ｂ5と接続端子３ｂ7は、リザーブ（予備）端子として用いられ、接続端子３ｂ6は、ＩＣカード１が記録再生装置２０に装着されたか否かを検出するための検出端子として用いられ、接続端子３ｂ8は、シリアルクロックＳＣＬＫの入力端子として用いられる。
【００４０】
制御部１２は、フラッシュメモリ１１へのデータの書き込み又はフラッシュメモリ１１からのデータの読み出しを制御するメモリコントローラ１２ａと、データの書き込み又は読み出しのための各種パラメータを有するレジスタ１２ｂと、データを一時的に記憶するページバッファ１２ｃと、記録再生装置２０とのデータのやり取りを行うためのシリアルインターフェース１２ｄとを有する。メモリコントローラ１２ａは、レジスタ１２ｂに設定されたパラメータに基づいてフラッシュメモリ１１とページバッファ１２ｃとの間のデータの伝送を行う。
【００４１】
このような制御部１２のメモリコントローラ１２ａには、接続端子３ｂ2からシリアルプロトコルバスステート信号ＢＳ、接続端子３ｂ8からシリアルクロックＳＣＬＫが供給される。そして、フラッシュメモリ１１にデータを書き込むとき、メモリコントローラ１２ａは、シリアルプロトコルバスステート信号ＢＳとシリアルクロックＳＣＬＫに従って、接続端子３ｂ4から入力されるデータをシリアルインターフェース１２ｄを介してページバッファ１２ｃに一時的に記憶し、次いで、フラッシュメモリ１１にデータを記憶する。また、フラッシュメモリ１１に記憶されたデータを読み出すとき、メモリコントローラ１２ａは、シリアルプロトコルバスステート信号ＢＳとシリアルクロックＳＣＬＫに従って、フラッシュメモリ１１よりデータをページバッファ１２ｃに読み出し、次いで、シリアルインターフェース１２ｄを介して接続端子３ｂ4から記録再生装置２０に出力する。
【００４２】
一方、記録再生装置２０の記録再生回路１５０は、装置本体２１の全体の制御を行うとともに、ＩＣカード１のファイル管理を行うＩＣカード１のファイル管理を行うファイルマネージャ１５２を有するＣＰＵ１５１と、ＩＣカード１のレジスタ１２ｂやページバッファ１２ｃへのアクセスを実行する転送プロトコルインターフェース１５３と、３つの信号線、すなわちシリアルクロックＳＣＬＫとバスステートＢＳとシリアルデータ入出力ＳＤＩＯにおいてデータ転送を行うためのプロトコルを規定するシリアルインターフェース１５４とを有する。
【００４３】
ここで、記録再生部２４を構成するコネクタ５１の弾性接点５３について説明すると、弾性接点４６1と弾性接点４６10とは、検出電圧ＶSS端子であり、接続端子３ｂ1と接続端子３ｂ10に電気的に接続され、弾性接点４６2は、シリアルプロトコルバスステート信号ＢＳの入力端子であり、接続端子３ｂ2に電気的に接続され、弾性接点４６3と弾性接点４６9とは、電源電圧ＶCC端子とされ、接続端子３ｂ3と接続端子３ｂ9に電気的に接続され、弾性接点４６4は、データ端子、すなわちシリアルプロトコルデータ信号の入出力端子とされ、接続端子３ｂ4に電気的に接続され、弾性接点４６5と弾性接点４６7とは、リザーブ（予備）端子であり、接続端子３ｂ5と接続端子３ｂ7に電気的に接続され、弾性接点４６6は、ＩＣカード１が記録再生装置２０に装着されたか否かを検出するための検出端子であり、接続端子３ｂ6に電気的に接続され、弾性接点４６8は、シリアルクロックＳＣＬＫの入力端子であり、接続端子３ｂ8に電気的に接続される。
【００４４】
ＣＰＵ１５１は、弾性接点５３6に接続されており、ＩＣカード１の端子部３を構成する接続端子３ｂ6の端子電圧を検出することＩＣカード１がコネクタ５１に接続されていかどうかを検出する。そして、ＩＣカード１がコネクタ５１に装着されているとき、ＣＰＵ１５１のこのファイルマネージャ１５２は、ＩＣカード１にあるメインデータの管理のための管理ファイルを読み込んで形成される。また、シリアルインターフェース１５４は、シリアルクロックＳＣＬＫとバスステートＢＳとシリアルデータ入出力ＳＤＩＯによってデータ転送を行う。
【００４５】
このような記録再生回路１５０の動作について説明すると、ＣＰＵ１５１は、ＩＣカード１がコネクタ５１に装着され、接続端子３ｂ6の端子電圧を検出すると、先ず、この端子電圧が閾値より大きいかどうかを判断し、大きいとき、ＩＣカード１がコネクタ５１に確実に装着されていると判断し、この閾値より小さいとき、ＩＣカード１が確実にコネクタ５１に装着されていないと判断する。そして、ＣＰＵ５１は、ＩＣカード１がコネクタ５１に確実に装着されていると判断したとき、例えば装置本体２１に設けられた表示部等にＩＣカード１が記録再生可能な状態にあることを示す表示を行う。そして、ＣＰＵ１５１は、例えばＩＣカード１に記録された情報信号を読み出し、また、ＩＣカード１のフラッシュメモリ１１にデータを記録する。
【００４６】
次に、以上のように構成されたＩＣカード１を複数枚収納した記録再生装置２０の動作について、先ず、ＩＣカード１を交換する場合を説明する。以下、収納体２３の最上段の１番地に収納された保持部材２２に保持されたＩＣカード１の交換動作について説明する。
【００４７】
最上段である１番地に収納された保持部材２２を装置本体２１の外のＩＣカード１の交換位置に移動するには、図１２に示すように、収納体２３を最も下方にまで移動させる。すなわち、昇降機構６１は、図７（Ａ）に示すように、移動板６３を装置本体２１の背面側である図７（Ａ）中矢印Ａ１方向に移動させ、収納体２３に設けられた第１及び第２の支持ピン５６，５７を支持する支持位置に移動させる。これによって、第１及び第２の支持ピン５６，５７は、最下段の支持突片６８ａ，６８ｂと開口部６７ａ，６７ｂの下方側の側縁により構成される凹部に係合される。また、操作板６４も、最も図７（Ａ）中矢印Ａ１方向に移動され、第２の支持ピン５７は、操作板６４のカム溝８５の最下段の水平部８５ａに係合される。
【００４８】
これと同時に、イジェクト機構１３１では、図９に示すように、移動操作ギヤ１４２が１番地に収納された保持部材２２のラックギヤ４０が噛合される。ここで、保持部材２２は、イジェクト操作用の駆動モータ１３３の駆動により、図９中矢印Ｇ1方向に移動され、挿脱口２５より装置本体２１の外方に突出したＩＣカード１の交換位置まで移動される。１番地の保持部材２２が引き出された状態で、１番地の保持部材２２に保持されたＩＣカード１は、利用者によって交換される。ＩＣカード１の交換を行った後、イジェクト機構１３１は、イジェクト操作用の駆動モータ１３３を逆転駆動させて、装置本体２１より突出した保持部材２２を収納体２３内に引き込み、図１３に示すように、収納体２３内の１番地の収納位置に引き込む。
【００４９】
次に、収納体２３に収納されたＩＣカード１に情報信号を記録再生する場合について説明する。なお、以下、収納体２３の１番地に収納された保持部材２２に保持されたＩＣカード１を再生する場合について説明する。１番地に収納された保持部材２２に保持されたＩＣカード１の情報信号の記録再生するときには、先ず図１４に示すように、上述した１番地の保持部材２２をＩＣカード１のイジェクトを行う収納体２３の最下段位置より１段上昇させる。すなわち、図７（Ｂ）及び図７（Ｃ）に示すように、駆動モータが駆動されることにより、昇降機構６１を構成する移動板６３は、図７（Ｂ）中矢印Ａ2方向に移動させ非支持位置に移動される。これにより、第１の支持ピン５６と第２の支持ピン５７は、支持突片６８ａ，６８ｂに支持されない非支持位置に移動される。これと共に、操作ギヤ９８は、一方に回転され操作板６４を図７（Ｂ）中矢印Ａ2方向に移動させ、第２の支持ピン５７を、カム溝８５に従って傾斜部８５ｂを通って次の水平部８５ａに移動させる。これにより収納体２３は、第１及び第２の回動アーム７１，７２により１段持ち上げられる。すると、移動板６３は、図７（Ｃ）中矢印Ａ1方向に移動され支持位置に戻る。これにより、収納体２３は、図１３に示すように、１番地の保持部材２２が記録再生部２４を構成するコネクタ５１と同じ高さとなる。そして、図８に示すように、１番地の保持部材２２の係合凹部４１にローディング機構１０１を構成する移動ブロック１０３の係合突部１０５が係合される。
【００５０】
そして、１番地の保持部材２２は、図８及び図１５に示すように、ローディング用モータ１０７を駆動させ、移動ブロック１０３を収納体２３側に位置する図８中矢印Ｃ2方向に移動させ、記録再生位置まで移動させる。これにより、保持部材２２の開口部３３より突出したＩＣカード１の端子部３は、コネクタ５１の挿入口５２より挿入され、コネクタ５１内の弾性接点５３が接続端子３ｂに圧接され電気的に接続される。この状態で、１番地のＩＣカード１には、情報信号の記録再生が行われる。
【００５１】
具体的に、図１１に示すように、ＣＰＵ１５１は、ＩＣカード１がコネクタ５１に装着され、接続端子３ｂ6の端子電圧を検出すると、先ず、この端子電圧が閾値より大きいかどうかを判断し、大きいとき、ＩＣカード１がコネクタ５１に確実に装着されていると判断し、この閾値より小さいとき、ＩＣカード１が確実にコネクタ５１に装着されていないと判断する。そして、ＣＰＵ１５１は、ＩＣカード１がコネクタ５１に確実に装着されていると判断したとき、例えば装置本体２１に設けられた表示部等にＩＣカード１が記録再生可能な状態にあることを示す表示を行う。そして、ＣＰＵ１５１は、例えばＩＣカード１に記録された情報信号を読み出し、また、ＩＣカード１のフラッシュメモリ１１にデータを記録する。
【００５２】
なお、コネクタ５１に装着されたＩＣカード１を収納体２３の所定の番地に戻すときには、ローディング機構１０１は、ローディング用モータ１０７を逆転方向に駆動させ、移動ブロック１０３を収納体２３側に位置する図８中矢印Ｃ1方向に移動させることにより、１番地の保持部材２２を収納体２３内の収納位置に移動操作する。
【００５３】
以上のようなＩＣカード１の記録再生装置２０は、複数枚のＩＣカード１を一度に収納することができ、従来のように１枚ずつＩＣカード１の交換を行う必要が無くなり利便性の向上を図ることができる。また、この記録再生装置２０では、ＩＣカード１のコネクタ５１への着脱を自動的に行うことができ、利便性の向上を図ることができる。
【００５４】
以上記録再生装置２０について、ＩＣカード１との情報信号のやり取りを接続端子３ｂに弾性接点５３を接触させて行う場合について説明したが、本発明の参考例となる記録再生装置２０は、無線で情報信号のやり取りを行うようにしてもよい。また、記録再生部２４であるコネクタ５１と高さを合わせるため収納体２３を昇降機構６１で昇降する例を説明したが、収納体２３を固定とし、コネクタ５１を昇降機構により昇降するようにしてもよい。また、以上、収納体２３に５枚の保持部材２２を積層する例について説明したが、ＩＣカード１の収納枚数は、２枚以上であればこれに限定されるものではない。
【００５５】
次に、本発明が適用された記録再生装置２０について図面を参照して説明する。この記録再生装置２０は、ＩＣカードをターンテーブルに、周回り方向に収納することで、上述した記録再生装置２０をＩＣカード１を数枚収納可能であるのに対して、１００枚程度収納することができるようにしたことを特徴とする。また、この記録再生装置２０は、ＩＣカードのデータの記録再生を無線で行うことを特徴とする。すなわち、この記録再生装置１６０は、図１６に示すように、複数枚のＩＣカード１６４が、立てられた状態で、１００枚程度収納される収納ユニット１６１と、収納ユニット１６１に収納されたＩＣカード１６４に対して情報信号の記録再生を行う記録再生部１６２と、収納ユニット１６１に収納されたＩＣカード１６４の中で選択されたＩＣカード１６４の送受信部と記録再生部１６２とを対向させるように収納ユニット１６１を回転駆動する回転駆動機構１６３とを備える。
【００５６】
この記録再生装置１６０に用いられるＩＣカード１６４は、図１７に示すように、上記図１及び図２に示すＩＣカード１と略同じ構成を有している。なお、以下、ＩＣカード１と同じ部材については、同一の符号を付して詳細は省略する。このＩＣカード１６４は、筐体２の前面２ａに、記録再生装置１６０とデータのやり取りを無線で行うためのアンテナ等からなる送受信部１６５が設けられている。このＩＣカード１６４は、図１６に示すように、送受信部１６５を内周側に向けて立てた状態で収納される。そして、記録再生装置２０の記録再生部１６２と対向された記録再生位置において、データの送受信が行われる。
【００５７】
装置本体を構成する外筐１６６内に配設される収納ユニット１６１は、図１８及び図１９に示すように、外筺の底面側から植立された支軸１７１を介して回転可能に支持された円形をなすロータリーテーブル１７２を備えている。この収納ユニット本体を構成するロータリーテーブル１７２は、外筺の底面に垂直に植立された支軸１７１に支持されてなることから、外筺の底面と平行に、すなわち記録再生装置１６０の設置面に水平に回転する。
【００５８】
そして、ロータリーテーブル１７２には、支軸１７１を回転中心にして、それぞれ半径方向に亘ってＩＣカード１６４が挿入される多数のカード挿入溝１７３が放射状に形成されている。ここでは、カード挿入溝１７３は、ロータリーテーブル１７２の周周り方向に１００個形成されている。また、ロータリーテーブル１７２の下面側には、ロータリーテーブル１７２と同軸に円筒状をなすカード支持体１７４が一体的に取り付けられている。このカード支持体１７４には、ロータリーテーブル１７２に形成された各カード挿入溝１７３に対応して、これらカード挿入溝１７３にそれぞれ挿入されるＩＣカード１６４の前面２ａ側を支持するカード支持溝１７５が形成されている。これらカード支持溝１７５は、カード支持体１７４のロータリーテーブル１７２に対向する上面側に放射状に形成されている。したがって、カード挿入溝１７３に略垂直に挿入されたＩＣカード１６４は、カード支持溝１７５に前面２ａ側の他方の側面２ｃが支持されることにより、カード挿入溝１７３からの脱落が防止される。すなわち、１つのカード挿入溝１７３と１つのカード支持溝１７５とは、１枚のＩＣカード１６４を収納保持するカード収納部を構成する。
【００５９】
ロータリーテーブル１７２に形成されるカード挿入溝１７３は、ロータリーテーブル１７２の回転中心側に位置する内周側端部１７６及びロータリーテーブル１７２の外周縁部側に位置する外周側端部１７７の幅を、このカード挿入溝１７３に挿入されるＩＣカード１６４の厚み、すなわちＤ1と略同じにしている。また、内周側端部１７６から外周側端部１７７に至る中途部１７８の幅は、ロータリーテーブル１７２の内周側から外周側に向かって徐々に幅広となるように形成されている。このようなカード挿入溝１７３には、ＩＣカード１６４が送受信部１６５を内周側にして挿入される。このようにカード挿入溝１７３を形成することにより、カード挿入溝１７３に挿入されたＩＣカード１６４は、カード挿入溝１７３の内周側端部１７６及び外周側端部１７７により揺動が規制され、ロータリーテーブル１７２に垂直に支持される。すなわち、ＩＣカード１６４は、主面をロータリーテーブル１７２の回転中心であるこのロータリーテーブル１７２を支持する支軸１７１と略平行とされて収納ユニット１６１に収納保持される。そして、カード挿入溝１７３に収納保持されたＩＣカード１６４は、揺動が確実に規制されていることから、データの送受信時に記録再生部１６２と送受信部１６５が相対向した状態を維持することができ、正確なデータのやり取りを行うことができる。
【００６０】
また、収納ユニット１６１を構成するロータリーテーブル１７２の外周面には、全周に亘ってギヤ部１７９が刻設されている。このロータリーテーブル１７２は、ギヤ部１７９に回転駆動機構を構成する駆動力伝達ギヤが噛合されることによって回転駆動機構の駆動によって支軸１７１を中心に回転操作される。また、ロータリーテーブル１７２の外周面であって、ギヤ部１７９が刻設された上方側には、各カード挿入溝１７３に対応して係合凹部１８１が設けられている。この係合凹部１８１には、回動規制機構を構成する回動規制ピン１８２が記録再生時等に係合し、ロータリーテーブル１７２の回動を規制する。
【００６１】
そして、ＩＣカード１６４を収納保持した収納ユニット１６１と、この収納ユニット１６１から選択された１枚のＩＣカード１６４を記録再生するための記録再生部１６２を内蔵した外筺１６６には、図１６に示すように、収納ユニット１６１にＩＣカード１６４を挿脱させるための挿脱口１８３が設けられている。この挿脱口１８３は、外筺１６６の上面側に位置し、この外筺１６６の前面側から背面方向に亘って設けられている。この挿脱口１８３は、ロータリーテーブル１７２に設けられた多数のカード挿入溝１７３中の一部を外方に臨まさせる大きさに形成されている。具体的には、１００個のカード挿入溝１７３中の略１／４を外方に臨ませる大きさに形成されている。そして、上記挿脱口１８３を介して、ＩＣカード１６４を挿脱することにより、カード挿入溝１７３に挿入保持されるＩＣカード１６４の交換を行うことができる。なお、挿脱口１８３は、透明な合成樹脂からなる開閉可能な蓋体１８４により覆われる。そして、例えばＩＣカード１６４の記録再生時、或いは使用しないときに、蓋体１８４を閉塞しておくことにより、挿脱口１８３を介して不用意に収納ユニット１６１に収納されたＩＣカード１６４への接触を防止し、更に外筺１６６内への塵埃の侵入を防止して、ＩＣカード１６４の保護を図ることができる。
【００６２】
以上のような収納ユニット１６１を回転駆動する回転駆動機構１６３は、図１８に示すように、収納ユニット１６１を回転操作して、例えば操作パネルに配置した各種キーによって選択されたカード挿入溝１７３とカード支持溝１７５からなるいずれか１つのカード保持部に収納保持されたＩＣカード１６４を、記録再生位置に移動操作するものである。この回転駆動機構１６３は、図１８に示すように、外筺１６６内のコーナ部に配置された駆動モータ１８６と、複数のギヤからなる減速ギヤ機構１８７とを備えている。この減速ギヤ機構１８７を構成する駆動ギヤ１８８が、ロータリーテーブル１７２の外周面に形成したギヤ部１７９に噛合されることにより、駆動モータ１８６の駆動力がロータリーテーブル１７２に伝達される。なお、駆動モータ１８６の回転駆動力は、駆動モータ１８６の出力軸１８６ａに取り付けられたプーリ１８９と減速ギヤ機構１８７を構成するプーリ１８９との間に巻装された駆動力伝達ベルト１９１を介して減速ギヤ機構１８７に伝達される。したがって、駆動モータ１８６の回転駆動力は、減速ギヤ機構１８７によって減速されて、駆動ギヤ１８８を介してロータリーテーブル１７２のギヤ部１７９に伝達されて、ロータリーテーブル１７２を回転操作する。この駆動モータ１８６は、正逆双方向に回転駆動可能なものであって、操作パネル１３に配置した各種キーによって選択されたＩＣカード１６４の位置に応じてロータリーテーブル１７２を含む収納ユニット１６１を支軸１７１を中心にして時計周り方向又は反時計周り方向に回転操作する。
【００６３】
ところで、支軸１７１の近傍には、図１８には、ＩＣカード１６４とデータの送受信をするための記録再生部１６２が固定されている。この記録再生部１６２は、利用者によって選択された番地のＩＣカード１６４の送受信部１６５と対向した状態で、データの送受信を行う。
【００６４】
ここで、先ず、記録再生装置２０の記録再生部１６２の回路構成について説明すると、図２０に示すように、記録再生部１６２は、コイル状のアンテナ１９２と、データを変調する変調器１９３と、変調器１９３からの変調信号を増幅してアンテナ１９２を駆動する増幅器１９４と、各回路を保護する保護回路１９５と、ＩＣカード１６４からの受信信号を増幅する増幅器１９６と、この増幅された受信信号を復調して、ＩＣカード１６４に記録されていた情報信号を再生する復調器１９７と、全体の動作を制御するＣＰＵ１９８とを備える。
【００６５】
そして、ＩＣカード１６４に情報信号を記録するときには、ＣＰＵ１９８は、インターフェース回路１９９を介して変調器１９３に供給する。変調器１９３は、所定の変調方式に基づいて、搬送波（キャリア）を情報信号で変調して得られ変調信号を増幅器１９４に供給する。増幅器１９４は、この変調信号を増幅してアンテナ１９２を駆動、すなわちアンテナ１９２に電流を流す。このようにして、ＩＣカード１６４に記録する情報信号に基づいた電波がＩＣカード１６４のアンテナ２０１に送信される。
【００６６】
また、ＩＣカード１６４に記録された情報信号を読み出すときには、アンテナ１９２は、保護回路１９５を介して増幅器１９６に情報信号を供給する。復調器１９７は、増幅された受信信号を検波して情報信号を再生し、インターフェース回路１９９を介してＣＰＵ１９８に供給する。
【００６７】
ところで、ＩＣカード１６４は、軽量小型化を達成するために電源となる電池を内蔵しておらず、ＩＣカード１６４の各回路を動作させるための電力は、記録再生装置１６０から供給されるようになっている。すなわち、記録再生部１６２は、ＩＣカード１６４に電力を供給するために変調信号と電力を重畳して送信する無接点方式によりＩＣカード１６４に電力を供給している。具体的には、所定の変調方式として振幅変調を用いた場合、変調器１９３及び増幅器１９４は、図２１に示すように、１つの振幅変調及び増幅回路２００からなる。この振幅変調及び増幅回路２００は、トランジスタＴｒ1、Ｔｒ2からなる差動増幅回路で構成されている。差動増幅回路の一方の入力、すなわちトランジスタＴｒ1のベースには、搬送波が供給されており、他方の入力、すなわちトランジスタＴｒ2のベースには、コンデンサ及び抵抗を介して交流的に接地されている。また、トランジスタＴｒ1、Ｔｒ2の両方のエミッタが接続された接続点と接地点との間には、振幅変調のためのトランジスタＴｒ3が挿入されており、このトランジスタＴｒ3のベースにインターフェース回路１９９からのデータが供給されている。そして、振幅変調及び増幅回路２００は、図示しない搬送波発信器搬送波をトランジスタＴｒ3によってデータで振幅変調するとともに、得られる変調信号をトランジスタＴｒ1、Ｔｒ2によって増幅する。なお、本発明は、変調方式として、ＰＳＫ変調やＱＡＭ返答であってもよい。
【００６８】
次に、ＩＣカード１６４側の回路構成について説明すると、図２２に示すように、記録再生装置１６０の記録再生部１６２から送信されてくる電波を受信する例えばコイル状のアンテナ２０１と、各回路を保護する保護回路２０２と、受信信号を増幅する増幅器２０３と、増幅された受信信号を復調して、情報信号を再生する復調器２０４と、情報信号の書き込み及び読み出しを制御する制御回路２０５と、情報信号を記憶するフラッシュメモリ等のメモリ２０６と、メモリ２０６から読み出された情報信号で搬送波を変調する変調器２０７と、変調器２０７からの変調信号を増幅してアンテナ２０１を駆動する増幅器２０８と、受信信号を直流電圧に変換する整流回路２０９とを備える。
【００６９】
そして、メモリ２０６に情報信号を記録する際には、アンテナ２０１は、受信信号を保護回路２０２を介して増幅器２０３に供給する。ここで、保護回路２０２は、例えば過大電波からの各回路を保護するためのものである。増幅器２０３は、受信信号を増幅して復調器２０４に供給する。復調器２０４は、増幅された受信信号、すなわち振幅変調信号を、例えば包絡線検波方式によって検波して、情報信号を再生して、制御回路２０５に供給する。制御回路２０５は、情報信号をメモリ２０６に記録する制御を行い、メモリ２０６に記録再生装置１６０からの情報信号を記録する。また、整流回路２０９は、受信信号を全波整流するとともに平滑化して、ＩＣカード１６４で必要とされる直流電圧を発生して各回路に供給する。
【００７０】
次に、以上のように構成されたＩＣカード１６４の記録再生装置１６０の動作について説明する。先ず、ＩＣカード１６４の交換は、挿脱口１８３よりカード挿入溝１７３が外部に臨まされた状態で行われる。そして、カード挿入溝１７３に挿入されたＩＣカード１６４は、内周側端部１７６及び外周側端部１７７により狭持されることで揺動が確実に防止される。そして、利用者によって、所定の番地が選択されると、回転駆動機構１６３が駆動され、収納ユニット１６１が、支軸１７１を中心に利用者によって指定されたＩＣカード１６４の送受信部１６５と記録再生装置１６０の記録再生部１６２とが対向する記録再生位置まで回転される。ＩＣカード１６４の送受信部１６５と記録再生装置１６０の記録再生部１６２とが対向すると、収納ユニット１６１の係合凹部１８１に、ＩＣカード１６４の送受信部１６５と記録再生装置１６０の記録再生部１６２とが対向した状態を維持することができるように、回動規制ピン１８２が係合され、収納ユニット１６１の回動が規制される。
【００７１】
この状態において、記録再生装置１６０は、ＩＣカード１６４とデータのやり取りを行う。具体的に、図２２に示すように、ＩＣカード１６４のメモリ２０６に記録された情報信号を読み出す際には、先ず、記録再生装置１６０の記録再生部１６２からＩＣカード１６４から情報信号を読み出すためのコマンドがＩＣカード１６４の送受信部１６５に供給される。すると、ＩＣカード１６４の制御回路２０５は、そのコマンドに基づいて必要なデータをメモリ２０６から読み出して、変調器２０７に供給する。変調器２０７は、読み出された情報信号で搬送波を所定の変調方法によって変調し、増幅器２０８に供給する。増幅器２０８は、この変調信号を増幅してアンテナ２０１を駆動し、アンテナ２０１は、記録再生装置１６０の記録再生部１６２に送信する。図２０に示すように、記録再生装置１６０側の記録再生部１６２のアンテナ１９２は、受信した情報信号を保護回路１９５を介して増幅器１９６に供給し、増幅器１９６は、増幅して復調器１９７に供給する。復調器１９７は、増幅された受信信号を検波して情報信号を再生し、インターフェース回路１９９を介してＣＰＵ１９８供給する。
【００７２】
また、ＩＣカード１６４に情報信号を記録する際には、先ず図２０に示すように、ＣＰＵ１９８は、ＩＣカード１６４に記録する情報信号をインターフェース回路１９９を介して変調器１９３に供給する。変調器１９３は、所定の変調方式に基づいて搬送波を情報信号で変調して、得られる変調信号を増幅器１９４に供給する。増幅器１９４は、この変調信号を増幅してアンテナ１９２を駆動し、アンテナ１９２は、ＩＣカード１６４の送受信部１６５に送信する。ＩＣカード１６４の送受信部１６５のアンテナ２０１は、図２２に示すように、受信信号を保護回路２０２を介して増幅器２０３に供給し、増幅器２０３は、受信信号を増幅して復調器２０４に供給する。復調器２０４は、増幅された受信信号を検波して、情報信号を再生し、制御回路２０５に供給する。制御回路２０５は、情報信号をメモリ２０６に記録する制御を行い、メモリ２０６に再生した情報信号を記録する。
【００７３】
以上のような記録再生装置１６０は、収納ユニット１６１の周周り方向にＩＣカード１６４を収納することができることから、上述した記録再生装置２０より多くのＩＣカードを収納することができる。したがって、利用者は、１枚ずつＩＣカード１６４の交換を行う必要が無くなり、利便性の向上を図ることができる。
【００７４】
以上、ＩＣカード１６４の記録再生装置１６０について、無線でデータのやり取りを行う例を説明したが、接点式のＩＣカード、すなわちＩＣカード１を用いるときには、記録再生部１６２を上述したコネクタ５１で構成し、カード挿入溝１７３に収納された位置とコネクタに挿入された位置とに亘ってＩＣカード１を搬送する搬送機構を新たに設けるようにすればよい。また、以上、収納ユニット１６１に１００枚のＩＣカード１６４を収納する例を説明したが、ＩＣカード１６４の収納枚数はこれに限定されるものではない。また、ＩＣカード１６４と送受信を行う記録再生部１６２を複数設けることによって、ダビングを行うことができるようにしてもよい。
【００７６】
【発明の効果】
本発明に係るＩＣカードの記録及び／又は再生装置によれば、収納ユニットに多数枚のＩＣカードを収納することができることから、利用者がＩＣカードの交換を１枚ずつ行う手間が省け利便性の向上を図ることができる。
【図面の簡単な説明】
【図１】  本発明が適用された記録再生装置の参考例となる記録再生装置に用いられるＩＣカードを示す斜視図である。
【図２】上記ＩＣカードを底面側から見た斜視図である。
【図３】上記ＩＣカードの記録再生装置の構成を説明する図である。
【図４】上記記録再生装置を構成するＩＣカードを保持する保持部材とこの保持部材を積層して複数枚収納する収納体を説明する斜視図である。
【図５】ＩＣカードが装着されるコネクタを説明する斜視図である。
【図６】収納体の昇降機構を説明する斜視図である。
【図７】上記昇降機構の動作を説明する図であり、（Ａ）は、収納体が最下段にある状態を示し、（Ｂ）は、収納体が下から２段目に上がる途中の状態を示す図であり、（Ｃ）は、収納体が下から２段目に固定された状態を示す図である。
【図８】ＩＣカードを保持した保持部材を収納位置と記録再生位置とに亘って移動するローディング機構を説明する斜視図である。
【図９】上記保持部材を収納位置とＩＣカードを交換する交換位置とに亘って移動するイジェクト機構を説明する斜視図である。
【図１０】保持部材のラックギヤとイジェクト機構の移動操作ギヤの関係を説明する図である。
【図１１】記録再生装置とＩＣカードの記録再生回路を説明するブロック図である。
【図１２】１番地の保持部材がＩＣカードの交換位置に移動した状態を示す図である。
【図１３】１番地の保持部材が収納位置に移動した状態を示す図である。
【図１４】収納体が１番地の保持部材を記録再生位置に移動可能な状態にまで上昇された状態を示す図である。
【図１５】１番地の保持部材が記録再生位置に移動した状態を示す図である。
【図１６】  本発明が適用された記録再生装置の構成を説明する図である。
【図１７】無線で記録再生装置とデータのやり取りを行うＩＣカードの斜視図である。
【図１８】上記記録再生装置の側面図である
【図１９】ＩＣカードの収納ユニットを説明する平面図である。
【図２０】記録再生装置の送受信部の回路構成を説明するためのブロック図である。
【図２１】振幅変調及び増幅回路の回路図である。
【図２２】ＩＣカードの送受信部の回路構成を説明するためのブロック図である。
【符号の説明】
１  ＩＣカード、３  端子部、３ｂ  電極、１０  ラベル、２０  記録再生装置、２１  装置本体、２２  保持部材、２３  収納体、２４  記録再生部、２５  挿脱口、３１  カード保持部、３６，３７  ガイドレール、４０  ラックギヤ、６１  昇降機構、８７  駆動伝達機構、１０１  ローディング機構、１０３  移動ブロック、１３１  イジェクト機構
【図１】
0004660901.tif 000002
【図２】
0004660901.tif 000003
【図３】
0004660901.tif 000004
【図４】
0004660901.tif 000005
【図５】
0004660901.tif 000006
【図６】
0004660901.tif 000007
【図７】
0004660901.tif 000008
【図８】
0004660901.tif 000009
【図９】
0004660901.tif 000010
【図１０】
0004660901.tif 000011
【図１１】
0004660901.tif 000012
【図１２】
0004660901.tif 000013
【図１３】
0004660901.tif 000014
【図１４】
0004660901.tif 000015
【図１５】
0004660901.tif 000016
【図１６】
0004660901.tif 000017
【図１７】
0004660901.tif 000018
【図１８】
0004660901.tif 000019
【図１９】
0004660901.tif 000020
【図２０】
0004660901.tif 000021
【図２１】
0004660901.tif 000022
【図２２】
0004660901.tif 000023